(57)【要約】【課題】アンカを汎用の土木機械（バックホー）を用いて埋設し、又は埋設されているアンカを取出せるようにする。【解決手段】螺旋状の掘削刃を有するアンカを地中に埋設するとき、又はその地中に埋設されているそのアンカを地中から取出すときに用いられるアンカ埋設装置であって、土木機械の作業用のアームの先端に取付けられる基板と、その基板に固定され、前記アンカの取付穴（角穴）を有する油圧モータとからなる。【選択図】　　　図１
2004084271.tif 000002
【特許請求の範囲】
【請求項１】
螺旋状の掘削刃を有するアンカを地中に埋設するとき、又はその地中に埋設されているそのアンカを地中から取出すときに用いられるアンカ埋設装置であって、
土木機械の作業用のアームの先端に取付けられる基板と、その基板に固定され、前記アンカの取付穴を有する油圧モータとからなることを特徴とするアンカ埋設装置。
【請求項２】
請求項１に記載のアンカ埋設装置において、土木機械はバックホーであることを特徴とするアンカ埋設装置。
【発明の詳細な説明】
【０００１】
【発明の属する技術分野】
本発明は、棒状の先端側に螺旋状の掘削刃を有するアンカを地中に埋設し、又は地中に埋設されているアンカを地中から取出すときに用いられるアンカ埋設装置に関する。
【０００２】
【従来の技術】
本出願人は、特開２０００−１８５０号、同２００１−５９２２１号、同２００１−１８２０５８号、同２００１−２７１３４６号及び同２００１−２７１３４５号等において、電柱の支線等を支持するのに好適なアンカを提案している。この提案に係るアンカＡは、本発明の実施の形態の説明の項で用いられる後述の図１に示されるように、鋳鉄製からなり、先細りの軸部１の周囲に螺旋状の掘削刃２が所定の間隔を保って複数個（図示の例では４個）設けられている。これら掘削刃２，２…は、上方ほど大きくなるように決められている。そして、その軸部１の上端側（先細りと反対側）には、最上部の掘削刃２とほぼ同じ大きさのフランジ３が設けられているとともに、そのフランジ３の上側中央部には、アンカＡを地面Ｇに埋設するときの工具（穴堀建柱車の回転部）に接続するための角柱部４が設けられている。また、このアンカＡの先細りの先端部には、硬質の地面Ｇにも対処できるように、超硬金属からなるドリル部が設けられることもあり、さらに、掘削刃２の外周が尖鋭に形成されることもある。さらにまた、軸部１の長さ及び掘削刃２の個数は、地面Ｇの性情によって適宜決められている。
【０００３】
上記アンカＡの地中への埋設は、電柱を立設するときに用いられる穴掘建柱車を利用して行われている。すなわち、その穴掘建柱車の回転部（オーガ）に角柱部４が挿入される角穴を有する工具を取付けるとともに、その工具にアンカＡを取付け、回転部を回転させてアンカＡの埋設が行われる。
【０００４】
【発明が解決しようとする課題】
しかしながら、上記アンカの地中への埋設は、穴掘建柱車を用いて行われるが、この穴掘建柱車は、特別な機械であるため高価であり、したがって、より簡単な汎用性の土木機械を用いて埋設することができるようにすることが望まれていた。
【０００５】
そこで、本発明は、上記要望に応えるためになされたものであって、その目的は、汎用性のある土木機械を用いて簡単にアンカを埋設し、又は地中から取出すことのできるアンカ埋設装置を提供することにある。
【０００６】
【課題を解決するための手段】
本発明に係るアンカ埋設装置は、上記目的を達成するために、請求項１に記載の発明は、螺旋状の掘削刃を有するアンカを地中に埋設するとき、又はその地中に埋設されているそのアンカを地中から取出すときに用いられるアンカ埋設装置であって、土木機械の作業用のアームの先端に取付けられる基板と、その基板に固定され、前記アンカの取付穴を有する油圧モータとからなることを特徴としている。
本発明の請求項２に記載のアンカ埋設装置は、土木機械はバックホーであることを特徴としている。
【０００７】
【発明の実施の形態】
以下、本発明の実施の形態を図面に基づいて説明する。図１は、一実施の形態に係るアンカ埋設装置の一部分の斜視図である。図中、Ｂは、周知の土木機械のバックホーであり、そのバックホーＢのアーム１０の先端には、通常、バケットが取付けられている。このアーム１０は、図示しないバックホーＢの本体を中心に３６０°回転することができ、また、そのアーム１０の先端位置を任意の位置に移動できるように構成されている。
【０００８】
基板２０は、断面がコ字状の鋼製からなり、バケットが取外されたアーム１０の先端に設けられている。すなわち、この基板２０の長手方向の一端部側は、アームＡの先端に取付ピンＰ１　を介して回動自在に取付けられ、その他端側は、取付ピンＰ２　を介して第１リンク板１１の一端側に回動自在に取付けられている。この第１リンク板１１の他端側は、取付ピンＰ３　を介して第２リンク板１２の一端側及び図示しない油圧シリンダのロッド１３の端部と回動自在に接続されている。また、第２リンク板１２の他端側は、アーム１０の先端位置から少し中に入った位置で取付ピンＰ４　を介してそのアーム１０に回動自在に取付けられている。すなわち、アーム１０の先端側には、そのアーム１０、基板２０及び両リンク板１１，１２によりリンク機構が形成されている。したがって、ロッド１３が矢印で示されるように伸縮すると、基板２０は、取付ピンＰ１　を中心にして矢印で示されるように回動することができる。
【０００９】
図中、３０は、基板２０の下側（アーム１０と反対側）に溶接等により固定された支持棒であり、この支持棒３０の下端に油圧モータＭが固定されている。この油圧モータＭは、バックホーＢの図示しない油圧源により、回転軸Ｍ′を正回転又は逆回転できるように構成されている。そして、その回転軸Ｍ′の下端面中央には、アンカＡの角柱部４が挿入できる、本発明の取付穴に相当する角穴Ｍａが設けられている。アンカＡについては、上記従来の説明の項で説明してあるので、ここでの説明は省略する。
【００１０】
上記構成からなるアンカ埋設装置でアンカＡを地中に埋設するには、先ず、アンカＡの角柱部４が油圧モータＭの回転軸Ｍ′の角穴Ｍａに挿入される。次いで、その回転軸Ｍ′に設けられているピン孔Ｍｂ及び角柱部４に設けられているピン孔４ａにピン４０が挿入される。これにより、アンカＡは、油圧モータＭと一体化される。
【００１１】
油圧モータＭにアンカＡが取付けられた後、そのアンカＡの先端部（ドリル部５）は、アンカＡを埋設する位置に合わせられ、油圧モータＭが回転させられる。この際、アンカＡには、そのアンカＡを地面に押圧する力がバックホーＢによって加えられる。油圧モータＭの回転によりアンカＡが所定深さまで埋設されると、油圧モータＭの回転は停止されるとともに、ピン４０が抜かれて角柱部４から油圧モータＭが外される。
【００１２】
なお、上述の例では、アンカＡを油圧モータＭの回転軸Ｍ′に直接接続した例を示したが、上端部に回転軸Ｍ′の角穴Ｍａに入る角柱部を有し、下端部にアンカＡの角柱部４の入る角穴を有する補助工具を用いて接続するようにしてもよい。
【００１３】
上記アンカ埋設装置を用いて地中に埋設されているアンカＡを取出すときは、地中に埋設されているアンカＡの角柱部４に油圧モータＭの回転軸Ｍ′の角穴Ｍａを挿入し、次いで、ピン４０を挿入後、上述の埋設時の回転方向と反対方向に回転軸Ｍ′が回転させられる。これにより、地中に埋設されていたアンカＡは、地中から取出される。
【００１４】
なお、上述の例では、土木機械としてバックホーの例を示したが、他の土木機械を用いることもできる。
【００１５】
【発明の効果】
本発明の請求項１に記載のアンカ埋設装置は、土木機械の作業用のアームの先端に取付けられる基板と、その基板に固定され、アンカの取付穴を有する油圧モータとからなるので、土木機械を用いて極めて簡単にアンカを埋設でき、また、地中に埋設されているアンカを容易に取出すことができる。
本発明の請求項２に記載のアンカ埋設装置は、土木機械をバックホーとしたので、汎用性のあるバックホーを用いて簡単にアンカを埋設でき、また、地中に埋設されているアンカを容易に取出すことができる。
【図面の簡単な説明】
【図１】本発明の一実施の形態に係るアンカ埋設装置の一部分の斜視図である。
【符号の説明】
Ａ　アンカ
Ｂ　バックホー（土木機械）
１０　アーム
２０　基板
３０　支持棒
Ｍ　油圧モータ
【図１】
2004084271.tif 000003